(57)【要約】【課題】  ランプからの照射光が表示板の中を透過し、表示板の端面より漏れて見栄えが悪くなるのを防止する。【解決手段】  表示板３の端面３ｅの近傍に凹溝３ａを形成することで、表示板３の端面３ｅの近傍の板厚を小さくして光の通過する部分の面積を小さくし、表示板３の端面３ｅへ向かう光の量を少なくすることで、表示板３の端面３ｅより漏れる光の量を少なくする。【選択図】      図１
2005241816.tif 000002
【特許請求の範囲】
【請求項１】
透光性を有する表示基板（３）に絵文字印刷を施して構成され、背後に配置した光源（２）から照射した光が前記絵文字の部分を透過して前記絵文字を表示する透過照明式表示板において、
前記表示基板（３）の端面（３ｅ）の近傍の板厚を小さくしたことを特徴とする透過照明式表示板。
【請求項２】
請求項１に記載の透過照明式表示板において、前記表示基板（３）の端面（３ｅ）の近傍の背面に溝を形成したことを特徴とする透過照明式表示板。
【請求項３】
請求項２に記載の透過照明式表示板において、前記溝を凹溝（３ａ）としたことを特徴とする透過照明式表示板。
【請求項４】
請求項２に記載の透過照明式表示板において、前記溝をＶ溝（３ｂ）としたことを特徴とする透過照明式表示板。
【請求項５】
透光性を有する表示基板（３）を所定の形状に打ち抜く際に、同時にまたはその後にプレス加工して表示基板（３）の端面（３ｅ）の近傍の板厚を小さくすることを特徴とする透過照明式表示板の製造方法。
【発明の詳細な説明】
【技術分野】
【０００１】
本発明は、透過照明式表示板およびその製造方法に関し、表示板の端面から光が漏れるのを防止したものである。
【背景技術】
【０００２】
自動車などの車室には、インストルメントパネルの部分に、エアコン用ファンの回転速度を設定するヒーコンや、温度設定を行なうためのヒーコンが設けられている。そして、夜間でもヒーコンのポジション位置がわかり易いように、ヒーコンの回りには夜間照明が可能な絵文字を入れたヒーコンパネル（表示板）が設けられている。
【０００３】
このようなヒーコンパネル構造としては、ＰＣ板等の透明樹脂材に絵文字を印刷し、夜間には透明樹脂材の背後からランプ照射することで、この絵文字の部分を光らせるようになっている。
【０００４】
従来の透過照明式表示板としては、特許文献１に記載のように、透光性表示基板の表面に、文字・目盛・記号などの表示部である透光性印刷層を形成し、更に文字・目盛・記号などの表示部を除いた遮光部分を形成する遮光性印刷層を形成して指示計器の表示板を構成したものがある。
【０００５】
このようにして構成した表示板をリング状に形成し、図6に示すようにフィニッシャ１に形成されたリング状の開口部１ａを塞ぐようにして装着する。ここで、４はノブである。そして、背後に設けたランプ２から照明を行なうと、ランプ２からの照射光が表示板３の中を通過して、表示板３の絵文字５の部分が光る。
【特許文献１】特開２００２−９８５５８号公報（（００１８）〜（００２０）、図２）
【発明の開示】
【発明が解決しようとする課題】
【０００６】
ところが、図7に示すように、ランプ２からの照射光が表示板３の中を透過する際に、表示板３の端面３ｅへ向かった光が端面３ｅから漏れて目に入るため見栄えが悪い。このため、表示板３の端面３ｅに、光の漏れを阻止するための塗装を行なって光の漏れを防止している。
【０００７】
そこで本発明は、上記の課題を解決し、表示板の端面に塗装を行なうことなく端面からの光の漏れを防止した透過照明式表示板およびその製造方法を提供することを目的とする。
【課題を解決するための手段】
【０００８】
請求項１に係る発明は、透光性を有する表示基板に絵文字印刷を施して構成され、背後に配置した光源から照射した光が前記絵文字の部分を透過して前記絵文字を表示する透過照明式表示板において、前記表示基板の端面の近傍の板厚を小さくしたことを特徴とする。
【０００９】
このような透過照明式表示板では、表示板の端面へ向かう照射光は、表示板の端面の近傍で板厚が小さくなったために大部分が端面に到達せず、端面から漏れる照射光の量は僅かとなり、光の漏れが問題にならなくなる。
【００１０】
請求項２に係る発明は、請求項１に記載の透過照明式表示板において、前記表示基板の端面の近傍の背面に溝を形成したことを特徴とする。
【００１１】
このような透過照明式表示板では、溝を形成したことにより、該溝の部分で表示板の板厚が小さくなり、請求項１の効果が得られる。
【００１２】
請求項３に係る発明は、請求項２に記載の透過照明式表示板において、前記溝を凹溝としたことを特徴とする。
【００１３】
このような透過照明式表示板では、凹溝の部分で表示板の板厚が小さくなり、請求項１の効果が得られる。
【００１４】
請求項４に係る発明は、請求項２に記載の透過照明式表示板において、前記溝をＶ溝としたことを特徴とする。
【００１５】
このような透過照明式表示板では、Ｖ溝の部分で表示板の板厚が小さくなり、請求項１の効果が得られる。
【００１６】
請求項５に係る発明は、透光性を有する表示基板を所定の形状に打ち抜く際に、同時にまたはその後にプレス加工して表示基板の端面の近傍の板厚を小さくすることを特徴とする。
【００１７】
このような透過照明式表示板の製造方法では、表示板を所定の形状に打ち抜く際に同時にまたはその後にプレス加工して端面の近傍の板厚を小さくするので、打ち抜き工程で端面の近傍の板厚を小さくする加工が同時に行なえる。
【発明の効果】
【００１８】
本発明に係る透過照明式表示板によれば、表示基板の端面の近傍の板厚を小さくしたので、表示板の端面へ向かう照射光は、表示基板の板厚が小さくなったために大部分が端面に到達せず、端面から漏れる照射光の量は僅かとなり、光の漏れが問題にならなくなる。このため、従来から行なっていた表示板の端面の塗装を省略できる。
【００１９】
また、透過照明式表示板の製造方法では、表示基板を所定の形状に打ち抜く際に同時にまたはその後にプレス加工して端面の近傍の板厚を小さくするので、端面の近傍の板厚を小さくする加工が打ち抜き工程で同時に行なえる。
【発明を実施するための最良の形態】
【００２０】
以下、本発明の一実施形態を図面に基づいて説明する。
【００２１】
（ａ）実施の形態１
まず、実施の形態１を図１，図２に示す。図２（ａ）に示すように、表示基板としての例えばポリカーボネート等の透明樹脂板に絵文字５を印刷した表示板３の表面からは絵と文字とが見えるだけであるが、裏面には表示板３の端面３ｅである外周面の近傍に凹溝３ａが形成されている。つまり、表示板３の外形は円であり、該円の中心を中心とする同心円であって、半径寸法が外形よりも小さい円に沿って凹溝３ａが形成されている。この凹溝３ａは、大きなパネルから表示板をリング状に打ち抜く際に、同時にプレス加工によって形成される。あるいは、表示板を打ち抜いた直後に再度のプレス加工によって形成してもよい。この表示板３をフィニッシャ１の開口部１ａに嵌め込んだ部分の断面図を図１に示す。凹溝３ａは、溝の断面形状が略正方形であり、凹溝３ａを形成した部分では、凹溝３ａの存在により表示板３の厚さが周りに比べて小さくなっている。
【００２２】
次に、透過照明式表示板の作用を説明する。図１において、表示板３の背後である図中の右方の光源である図示しないランプからの照射光が表示板３の中を透過する際に、表示板３の端面３ｅへ向かった光は、凹溝３ａの存在により光が遮断され、残っている板厚の小さい部分からのみ端面３ｅへ至る。しかし、端面３ｅまで至る光の量は、従来に比べて僅かな量となるため、端面３ｅから漏れて目に入る光の量も僅かとなり、気にならなくなる。そのため、表示板３の端面３ｅに塗装を施す必要がない。また、光の漏れが少なくなった分だけ表示板３の絵文字５の部分を通過する光の量が増えて絵文字５の明るさが増大する。
【００２３】
（ｂ）実施の形態２
次に、実施の形態２を図３に示す。この実施の形態は、実施の形態１における、凹溝３ａに代えてＶ溝３ｂを形成したものである。この場合においても、Ｖ溝３ｂの部分ではＶ溝３ｂの存在により表示板３の厚さが小さくなっている。このため、実施の形態１と同様に、表示板３の端面３ｅまで至る光の量は、僅かとなり、端面３ｅから漏れて目に入る光の量も僅かとなる。
【００２４】
その他の構成，作用は実施の形態１と同じなので、説明を省略する。
【００２５】
（ｃ）実施の形態３，４
次に、実施の形態３，４を図４，５に示す。これらの実施の形態は、表示板３の端面３ｅの円周全体に断面形状が略正方形あるいは三角形の切欠部３ｃ，３ｄを形成したものである。
【００２６】
これらの場合は、表示板3の端面３ｅの板厚が小さくなり、端面３ｅの近傍に溝を形成した場合と同等の効果が得られ、端面３ｅから漏れる光の量は僅かとなる。
【００２７】
その他の構成，作用は実施の形態１と同じなので、説明を省略する。
【００２８】
なお、実施の形態では表示板の形状がリング状である場合を示したが、リング状に限らず、円形，正方形，長方形等どのような形状であってもよい。また、実施の形態では表示板がフィニッシャに嵌め込まれている場合について示したが、嵌め込まれていない場合であってもよい。
【図面の簡単な説明】
【００２９】
【図１】本発明に係る透過照明式表示板の実施形態１を示す要部の断面図である。
【図２】本発明に係る透過照明式表示板の実施形態１に係り、（ａ）は正面図、（ｂ）は裏面図である。
【図３】本発明に係る透過照明式表示板の実施形態２を示す要部の断面図である。
【図４】本発明に係る透過照明式表示板の実施形態３を示す要部の断面図である。
【図５】本発明に係る透過照明式表示板の実施形態４を示す要部の断面図である。
【図６】ヒーコンパネル構造に係り、（ａ）は正面図、（ｂ）は断面図である。
【図７】従来の透過照明式表示板の要部の断面図である。
【符号の説明】
【００３０】
１…フィニッシャ  
１ａ…開口部
２…ランプ  
３…表示板  
３ａ…凹溝  
３ｂ…Ｖ溝  
３ｃ，３ｄ…切欠部  
３ｅ…端面
５…絵文字
【図１】
2005241816.tif 000003
【図２】
2005241816.tif 000004
【図３】
2005241816.tif 000005
【図４】
2005241816.tif 000006
【図５】
2005241816.tif 000007
【図６】
2005241816.tif 000008
【図７】
2005241816.tif 000009